(57)【要約】【課題】携帯電話機が通信する際の通信品質が低下することを未然に回避する。【解決手段】携帯電話機２は、基準高度以上の位置に存在していると、携帯電話機２からの距離が基準距離未満にある基地局３を通信基地局として捕捉する旨を許可すると共に、携帯電話機２からの距離が基準距離以上にある基地局３を通信基地局として捕捉する旨を禁止する。携帯電話機２は、例えば高層ビルの屋上などの高度が高い位置に存在していても、携帯電話機２から遠方に位置する基地局３を通信基地局として捕捉するのではなく、携帯電話機２から近距離に位置する基地局３を通信基地局として捕捉することになる。【選択図】　図１
2004040368.tif 000002
【特許請求の範囲】
【請求項１】
複数の基地局のうちからいずれかの基地局を通信基地局として捕捉可能な移動通信端末を備えてなる移動通信システムであって、
移動通信端末が存在している位置の高度を検出する高度検出手段と、
前記高度検出手段により検出された移動通信端末が存在している位置の高度と所定高度との関係を判定する高度判定手段とを備え、
移動通信端末は、当該移動通信端末が存在している位置の高度が前記高度検出手段により検出され、当該移動通信端末が存在している位置の高度が所定高度以上にある旨が前記高度判定手段により判定されたときに、当該移動通信端末からの距離が所定距離未満にある基地局を通信基地局として捕捉する旨を許可すると共に、当該移動通信端末からの距離が所定距離以上にある基地局を通信基地局として捕捉する旨を禁止することを特徴とする移動通信システム。
【請求項２】
請求項１に記載した移動通信システムにおいて、
移動通信端末は、当該移動通信端末からの距離が所定距離以上にある基地局を通信基地局として捕捉しており、当該移動通信端末が存在している位置の高度が前記高度検出手段により検出され、当該移動通信端末が存在している位置の高度が所定高度以上にある旨が前記高度判定手段により判定されたときに、当該移動通信端末からの距離が所定距離未満にある基地局を通信基地局として捕捉するように通信基地局の切替動作を行うことを特徴とする移動通信システム。
【請求項３】
請求項１または２に記載した移動通信システムにおいて、
移動通信端末は、当該移動通信端末が存在している位置の高度が前記高度検出手段により検出され、当該移動通信端末が存在している位置の高度が所定高度以上にある旨が前記高度判定手段により判定されたときに、通信基地局として捕捉し得る基地局の群を表す捕捉候補リストから当該移動通信端末からの距離が所定距離以上にある基地局を除外することを特徴とする移動通信システム。
【請求項４】
請求項１ないし３のいずれかに記載した移動通信システムにおいて、
前記高度検出手段は、ＧＰＳ衛星から移動通信端末により受信されたＧＰＳ衛星信号に基づいて移動通信端末が存在している位置の高度を検出することを特徴とする移動通信システム。
【請求項５】
請求項１ないし４のいずれかに記載した移動通信システムにおいて、
前記高度検出手段は、移動通信端末から受信された測位データに基づいて移動通信端末が存在している位置の高度を検出する測位サーバから構成され、
前記高度判定手段は、測位サーバから受信された検出結果に基づいて移動通信端末が存在している位置の高度と所定高度との関係を判定する基地局制御装置から構成されていることを特徴とする移動通信システム。
【請求項６】
複数の基地局のうちからいずれかの基地局を通信基地局として捕捉可能な移動通信端末であって、
当該移動通信端末が存在している位置の高度が所定高度以上にあるときに、当該移動通信端末からの距離が所定距離未満にある基地局を通信基地局として捕捉する旨を許可すると共に、当該移動通信端末からの距離が所定距離以上にある基地局を通信基地局として捕捉する旨を禁止することを特徴とする移動通信端末。
【請求項７】
請求項６に記載した移動通信端末において、
当該移動通信端末からの距離が所定距離以上にある基地局を通信基地局として捕捉しており、当該移動通信端末が存在している位置の高度が所定高度以上にあるときに、当該移動通信端末からの距離が所定距離未満にある基地局を通信基地局として捕捉するように通信基地局の切替動作を行うことを特徴とする移動通信端末。
【請求項８】
請求項６または７に記載した移動通信端末において、
当該移動通信端末が存在している位置の高度が所定高度以上にあるときに、通信基地局として捕捉し得る基地局の群を表す捕捉候補リストから当該移動通信端末からの距離が所定距離以上にある基地局を除外することを特徴とする移動通信端末。
【請求項９】
複数の基地局のうちからいずれかの基地局を通信基地局として捕捉可能な移動通信端末に、
当該移動通信端末が存在している位置の高度が所定高度以上にあるときに、当該移動通信端末からの距離が所定距離未満にある基地局を通信基地局として捕捉する旨を許可させると共に、当該移動通信端末からの距離が所定距離以上にある基地局を通信基地局として捕捉する旨を禁止させる手順を実行させるためのコンピュータプログラム。
【請求項１０】
請求項９に記載したコンピュータプログラムにおいて、移動通信端末に、
当該移動通信端末からの距離が所定距離以上にある基地局を通信基地局として捕捉しており、当該移動通信端末が存在している位置の高度が所定高度以上にあるときに、当該移動通信端末からの距離が所定距離未満にある基地局を通信基地局として捕捉するように通信基地局の切替動作を行わせる手順を実行させるためのコンピュータプログラム。
【請求項１１】
請求項９または１０に記載したコンピュータプログラムにおいて、移動通信端末に、
当該移動通信端末が存在している位置の高度が所定高度以上にあるときに、通信基地局として捕捉し得る基地局の群を表す捕捉候補リストから当該移動通信端末からの距離が所定距離以上にある基地局を除外させる手順を実行させるためのコンピュータプログラム。
【請求項１２】
移動通信端末により通信基地局として捕捉され得る基地局を制御する基地局制御装置であって、
移動通信端末が当該移動通信端末からの距離が所定距離以上にある基地局を通信基地局として捕捉しており、移動通信端末が存在している位置の高度が所定高度以上にあるときに、移動通信端末が当該移動通信端末からの距離が所定距離未満にある基地局を通信基地局として捕捉するように基地局を制御することを特徴とする基地局制御装置。
【請求項１３】
移動通信端末により通信基地局として捕捉され得る基地局を制御する基地局制御装置に、
移動通信端末が当該移動通信端末からの距離が所定距離以上にある基地局を通信基地局として捕捉しており、移動通信端末が存在している位置の高度が所定高度以上にあるときに、移動通信端末が当該移動通信端末からの距離が所定距離未満にある基地局を通信基地局として捕捉するように基地局を制御させる手順を実行させるためのコンピュータプログラム。
【発明の詳細な説明】
【０００１】
【発明の属する技術分野】
本発明は、複数の基地局のうちからいずれかの基地局を通信基地局として捕捉可能な移動通信端末を備えてなる移動通信システム、前記移動通信端末および前記移動通信端末にて実行されるコンピュータプログラムに関する。
【０００２】
【発明が解決しようとする課題】
近年、移動通信端末の一つとして、符号分割多元接続（ＣＤＭＡ：Ｃｏｄｅ　Ｄｉｖｉｓｉｏｎ　Ｍｕｌｔｉｐｌｅ　Ａｃｃｅｓｓ　）方式を採用した携帯電話機が供されている。ＣＤＭＡ方式を採用した携帯電話機は、基本的には、パイロット信号の受信強度が大きい基地局を通信基地局として捕捉するので、当該携帯電話機から近距離に位置する基地局を通信基地局として捕捉するようになっている。
【０００３】
そして、携帯電話機が当該携帯電話機から近距離に位置する基地局を通信基地局として捕捉することにより、携帯電話機が通信基地局として捕捉されている基地局から送信された信号（下り信号）を適切に受信することができると共に、通信基地局として捕捉されている基地局が携帯電話機から送信された信号（上り信号）を適切に受信することができ、通信品質を適切に保持することができる。
【０００４】
ところで、携帯電話機は、例えば高層ビルの屋上などの高度が高い位置に存在しており、携帯電話機と遠方に位置する基地局との間に電波を遮る障害物が存在しなく、携帯電話機と遠方に位置する基地局との間の見通しが良いと、携帯電話機から近距離に位置する基地局を通信基地局として捕捉するのではなく、携帯電話機から遠方に位置する基地局を通信基地局として捕捉する場合がある。
【０００５】
しかしながら、携帯電話機が当該携帯電話機から遠方に位置する基地局を通信基地局として捕捉すると、携帯電話機が通信基地局として捕捉されている基地局から送信された信号を適切に受信することができるものの、その一方で、通信基地局として捕捉されている基地局が携帯電話機から送信された信号を適切に受信することができなくなる場合があり、その結果、通信品質が低下するという問題がある。
【０００６】
本発明は、上記した事情に鑑みてなされたものであり、その目的は、通信品質が低下することを未然に回避することができる移動通信システム、移動通信端末およびコンピュータプログラムを提供することにある。
【０００７】
【課題を解決するための手段】
請求項１に記載した移動通信システムによれば、移動通信端末は、複数の基地局のうちからいずれかの基地局を通信基地局として捕捉するに際して、移動通信端末が存在している位置の高度が高度検出手段により検出され、移動通信端末が存在している位置の高度が所定高度以上にある旨が高度判定手段により判定されると、移動通信端末からの距離が所定距離未満にある基地局を通信基地局として捕捉する旨を許可すると共に、移動通信端末からの距離が所定距離以上にある基地局を通信基地局として捕捉する旨を禁止するように構成した。
【０００８】
したがって、移動通信端末は、例えば高層ビルの屋上などの高度が高い位置に存在しており、移動通信端末と遠方に位置する基地局との間に電波を遮る障害物が存在しなく、移動通信端末から遠方に位置する基地局を通信基地局として捕捉可能な場合であっても、移動通信端末から遠方に位置する基地局を通信基地局として捕捉することを未然に回避することができ、移動通信端末から近距離に位置する基地局を通信基地局として捕捉することができる。
【０００９】
これにより、移動通信端末が通信基地局として捕捉されている基地局から送信された信号（下り信号）を適切に受信することができると共に、通信基地局として捕捉されている基地局が移動通信端末から送信された信号（上り信号）を適切に受信することができ、通信品質が低下することを未然に回避することができる。
【００１０】
請求項２に記載した移動通信システムによれば、移動通信端末は、移動通信端末からの距離が所定距離以上にある基地局を通信基地局として捕捉しているときに、移動通信端末が存在している位置の高度が高度検出手段により検出され、移動通信端末が存在している位置の高度が所定高度以上にある旨が高度判定手段により判定されると、移動通信端末からの距離が所定距離未満にある基地局を通信基地局として捕捉するように通信基地局の切替動作を行うように構成した。
【００１１】
したがって、移動通信端末は、移動通信端末からの距離が所定距離以上にある基地局を通信基地局として捕捉している状態から、移動通信端末からの距離が所定距離未満にある基地局を通信基地局として捕捉する状態に速やかに切替えることができ、通話品質を適切に保持することができる状態に速やかに切替えることができる。
【００１２】
請求項３に記載した移動通信システムによれば、移動通信端末は、移動通信端末が存在している位置の高度が高度検出手段により検出され、移動通信端末が存在している位置の高度が所定高度以上にある旨が高度判定手段により判定されると、通信基地局として捕捉し得る基地局の群を表す捕捉候補リストから移動通信端末からの距離が所定距離以上にある基地局を除外するように構成した。
【００１３】
したがって、移動通信端末は、捕捉候補リストから移動通信端末からの距離が所定距離以上にある基地局を除外することにより、これ以降、移動通信端末から遠方に位置する基地局を通信基地局として捕捉することを確実に未然に回避することができ、移動通信端末から近距離に位置する基地局を通信基地局として確実に捕捉することができる。
【００１４】
請求項４に記載した移動通信システムによれば、高度検出手段は、ＧＰＳ衛星から移動通信端末により受信されたＧＰＳ衛星信号に基づいて移動通信端末が存在している位置の高度を検出するように構成した。
【００１５】
したがって、一般的にＧＰＳ衛星信号を利用した測位の精度が高いという事情から、移動通信端末の位置を検出する際の信頼性を高めることができる。
【００１６】
請求項５に記載した移動通信システムによれば、高度検出手段は、移動通信端末から受信された測位データに基づいて移動通信端末が存在している位置の高度を検出する測位サーバから構成し、高度判定手段は、測位サーバから受信された検出結果に基づいて移動通信端末が存在している位置の高度と所定高度との関係を判定する基地局制御装置から構成した。
【００１７】
したがって、移動通信端末が当該移動通信端末が存在している位置の高度を検出する必要がなく、また、移動通信端末が当該移動通信端末が存在している位置の高度と所定高度との関係を判定する必要がなく、これにより、移動通信端末の負荷を軽減することができると共に、移動通信端末の構成を簡単にすることができる。
【００１８】
請求項６に記載した移動通信端末によれば、移動通信端末が存在している位置の高度が所定高度以上にあると、移動通信端末からの距離が所定距離未満にある基地局を通信基地局として捕捉する旨を許可すると共に、移動通信端末からの距離が所定距離以上にある基地局を通信基地局として捕捉する旨を禁止するように構成した。
【００１９】
したがって、上記した請求項１に記載したものと同様にして、移動通信端末は、例えば高層ビルの屋上などの高度が高い位置に存在しており、移動通信端末と遠方に位置する基地局との間に電波を遮る障害物が存在しなく、移動通信端末から遠方に位置する基地局を通信基地局として捕捉可能な場合であっても、移動通信端末から遠方に位置する基地局を通信基地局として捕捉することを未然に回避することができ、移動通信端末から近距離に位置する基地局を通信基地局として捕捉することができ、これにより、通信品質が低下することを未然に回避することができる。
【００２０】
請求項７に記載した移動通信端末によれば、当該移動通信端末からの距離が所定距離以上にある基地局を通信基地局として捕捉しているときに、当該移動通信端末が存在している位置の高度が所定高度以上にあると、当該移動通信端末からの距離が所定距離未満にある基地局を通信基地局として捕捉するように通信基地局の切替動作を行うように構成した。
【００２１】
したがって、上記した請求項２に記載したものと同様にして、移動通信端末は、移動通信端末からの距離が所定距離以上にある基地局を通信基地局として捕捉している状態から、移動通信端末からの距離が所定距離未満にある基地局を通信基地局として捕捉する状態に速やかに切替えることができ、通話品質を適切に保持することができる状態に速やかに切替えることができる。
【００２２】
請求項８に記載した移動通信端末によれば、当該移動通信端末が存在している位置の高度が所定高度以上にあると、通信基地局として捕捉し得る基地局の群を表す捕捉候補リストから移動通信端末からの距離が所定距離以上にある基地局を除外するように構成した。
【００２３】
したがって、上記した請求項３に記載したものと同様にして、移動通信端末は、捕捉候補リストから移動通信端末からの距離が所定距離以上にある基地局を除外することにより、これ以降、移動通信端末から遠方に位置する基地局を通信基地局として捕捉することを確実に未然に回避することができ、移動通信端末から近距離に位置する基地局を通信基地局として確実に捕捉することができる。
【００２４】
請求項９に記載したコンピュータプログラムによれば、当該コンピュータプログラムを、複数の基地局のうちからいずれかの基地局を通信基地局として捕捉可能な移動通信端末にインストールして実行すると、当該移動通信端末が存在している位置の高度が所定高度以上にあると、当該移動通信端末からの距離が所定距離未満にある基地局を通信基地局として捕捉する旨を許可させると共に、当該移動通信端末からの距離が所定距離以上にある基地局を通信基地局として捕捉する旨を禁止させる手順を実行するようになるので、上記した請求項６に記載したものと同様の作用効果を得ることができる。
【００２５】
請求項１０に記載したコンピュータプログラムによれば、当該コンピュータプログラムを、複数の基地局のうちからいずれかの基地局を通信基地局として捕捉可能な移動通信端末にインストールして実行すると、当該移動通信端末からの距離が所定距離以上にある基地局を通信基地局として捕捉しているときに、当該移動通信端末が存在している位置の高度が所定高度以上にあると、当該移動通信端末からの距離が所定距離未満にある基地局を通信基地局として捕捉するように通信基地局の切替動作を行わせる手順を実行するようになるので、上記した請求項７に記載したものと同様の作用効果を得ることができる。
【００２６】
請求項１１に記載したコンピュータプログラムによれば、当該コンピュータプログラムを、複数の基地局のうちからいずれかの基地局を通信基地局として捕捉可能な移動通信端末にインストールして実行すると、当該移動通信端末が存在している位置の高度が所定高度以上にあると、通信基地局として捕捉し得る基地局の群を表す捕捉候補リストから当該移動通信端末からの距離が所定距離以上にある基地局を除外させる手順を実行するようになるので、上記した請求項８に記載したものと同様の作用効果を得ることができる。
【００２７】
【発明の実施の形態】
以下、本発明の移動通信システムを、携帯電話機がＧＰＳ衛星から受信されたＧＰＳ衛星信号や基地局から受信されたパイロット信号を測定して測定結果を測位データとして測位サーバに送信し、測位サーバが携帯電話機から受信された測位データに基づいて携帯電話機の位置を検出可能に構成されてなる携帯電話システムに適用した一実施例について、図面を参照して説明する。
【００２８】
まず、図１は、携帯電話システムの全体構成を概略的に示している。携帯電話システム１において、携帯電話機２は、電源が投入されている状態（いわゆる待受状態）では、複数の基地局３のうちから例えばパイロット信号の受信強度が最大の基地局３を通信基地局として捕捉する。そして、携帯電話機２は、測位を行うと、ＧＰＳ衛星４から受信されたＧＰＳ衛星信号（図１では、破線矢印Ｇにて示す）を測定すると共に、通信基地局の周辺に位置する基地局（周辺基地局）３から受信されたパイロット信号（図１では、破線矢印Ｐにて示す）を測定し、それらの測定結果を測位データとして通信基地局を通じて基地局制御装置（交換局）５（本発明でいう高度判定手段）に送信する。
【００２９】
基地局制御装置５は、携帯電話機２から測位データが受信されると、受信された測定データを測位サーバ６（本発明でいう高度検出手段）に送信する。
測位サーバ６は、ＧＰＳ衛星４に関するアルマナック情報（ＧＰＳ衛星番号、衛星位置など）および基地局３に関するアルマナック情報（基地局番号、基地局位置など）を保持しており、基地局制御装置５から測位データが受信されると、受信された測位データを解析し、ＧＰＳ衛星４に関するアルマナック情報および基地局３に関するアルマナック情報を参照することにより、携帯電話機２の位置を検出するための演算を行い、演算結果を基地局制御装置５に送信する。この場合、携帯電話機２の位置は、緯度、経度および高度により表される。
【００３０】
図２は、携帯電話機２の電気的な構成を機能ブロック図として示している。携帯電話機２は、制御プログタム（本発明でいうコンピュータプログラム）を実行するＣＰＵ（Ｃｅｎｔｒａｌ　Ｐｒｏｃｅｓｓｉｎｇ　Ｕｎｉｔ　）７に、ＧＰＳ衛星４を検索してＧＰＳ衛星信号を受信するＧＰＳ無線部８と、基地局３を検索してパイロット信号を受信すると共に通信基地局との間で通信処理を行うＣＤＭＡ無線部９と、マイクロホン１０から入力した送話音声やスピーカ１１から出力する受話音声を処理する音声処理部１２と、「通話開始」キー、「通話終了」キー、「０」〜「９」の「数字」キーなどの多数のキーを配列してなるキーパッドから構成される操作部１３と、日付・時刻や電話番号などを表示する液晶ディスプレイから構成される表示部１４と、ＲＡＭ（Ｒａｎｄｏｍ　Ａｃｃｅｓｓ　Ｍｅｍｏｒｙ）やＲＯＭ（Ｒｅａｄ　Ｏｎｌｙ　Ｍｅｍｏｒｙ）から構成される記憶部１５とが接続された構成となっている。この場合、操作部１３は、表示部１４に表示されるタッチパネル型のものであっても良く、また、ＧＰＳ無線部８のアンテナとＣＤＭＡ無線部９のアンテナとが兼用される構成であっても良い。
【００３１】
次に、上記した構成の作用について、図３ないし図６を参照して説明する。尚、ここでは、
（１）携帯電話機２が発信する場合
（２）携帯電話機２が着信する場合
のそれぞれについて順次説明する。
【００３２】
（１）携帯電話機２が発信する場合
まず、携帯電話機２が発信する場合について、図３、図５および図６を参照して説明する。
携帯電話機２は、ユーザが発信操作を行うと、接続要求を通信基地局を通じて基地局制御装置５に送信する（図３中、Ｓ１，Ｓ２）。基地局制御装置５は、携帯電話機２から接続要求が受信されると、携帯電話機２からの接続要求に対して応答可能であるか否かを判定し、応答可能である旨を判定すると、接続応答を通信基地局を通じて携帯電話機２に送信する（図３中、Ｓ３，Ｓ４）。
【００３３】
さて、ここで、携帯電話機２は、このようにして基地局制御装置５から接続応答が受信されると、通信基地局として捕捉している基地局３との間で通信リンクを確立するのではなく、以下の処理を行う。すなわち、携帯電話機２は、基地局制御装置５から接続応答が受信されると、測位を行うべく測位要求を通信基地局を通じて基地局制御装置５に送信する（図３中、Ｓ５，Ｓ６）。
【００３４】
基地局制御装置５は、携帯電話機２から測位要求が受信されると、携帯電話機２からの測位要求に対して応答可能であるか否かを判定し、応答可能である旨を判定すると、測位応答を通信基地局を通じて携帯電話機２に送信する（図３中、Ｓ７，Ｓ８）。
【００３５】
携帯電話機２は、このようにして基地局制御装置５から測位応答が受信されると、測位を行う（図３中、ステップＡ１）。具体的に説明すると、携帯電話機２は、ＧＰＳ無線部９にＧＰＳ衛星４を検索させ、ＧＰＳ衛星４からＧＰＳ無線部９により受信されたＧＰＳ衛星信号を測定すると共に、ＣＤＭＡ無線部１０に通信基地局の周辺に位置する基地局（周辺基地局）３を検索させ、基地局３からＣＤＭＡ無線部１０により受信されたパイロット信号を測定する。そして、携帯電話機２は、それらの測定結果を測位データとして通信基地局を通じて基地局制御装置５に送信する（図３中、Ｓ９，Ｓ１０）。
【００３６】
基地局制御装置５は、携帯電話機２から測位データが受信されると、受信された測定データを測位サーバ６に送信する（図３中、Ｓ１１）。
測位サーバ６は、基地局制御装置５から測位データが受信されると、受信された測位データを解析し、ＧＰＳ衛星４に関するアルマナック情報および基地局３に関するアルマナック情報を参照することにより、携帯電話機２の位置を検出するための演算を行う（図３中、ステップＣ１）。そして、測位サーバ６は、演算結果を基地局制御装置５に送信する（図３中、Ｓ１２）。
【００３７】
さて、基地局制御装置５は、測位サーバ６から演算結果が受信されると、通信基地局の切替を行うか否かの切替判定を行う（図３中、ステップＢ１）。すなわち、基地局制御装置５は、測位サーバ６から受信された演算結果から携帯電話機２が存在している位置の高度を抽出し、携帯電話機２が存在している位置の高度と、あらかじめ設定されている基準高度（本発明でいう所定高度）とを比較する。この場合、基準高度は、携帯電話機２の通信品質が低下することを未然に回避し得るのに適する高度であり、例えば携帯電話機２が位置している周囲の環境、携帯電話機２に特有の性能、実験結果などの各種の要素（パラメータ）を総合的に評価することにより、決定されるものであっても良いし、また、それらの要素とは無関係に一律的に決定されるものであっても良い。
【００３８】
ここで、基地局制御装置５は、携帯電話機２が存在している位置の高度が基準高度以上にある旨を判定すると、携帯電話機２が当該携帯電話機２から近距離にある基地局３を通信基地局として捕捉する旨を許可すると共に、携帯電話機２が当該携帯電話機２から遠方にある基地局３を通信基地局として捕捉する旨を禁止し、以下の処理を行う。
【００３９】
すなわち、基地局制御装置５は、携帯電話機２と当該携帯電話機２が通信基地局として捕捉している基地局３との間の距離を取得し、取得された距離と、あらかじめ設定されている基準距離（本発明でいう所定距離）とを比較する。この場合、基準距離は、携帯電話機２の通信品質が低下することを未然に回避し得るのに適する距離であり、上記した基準高度と同様にして、例えば携帯電話機２が位置している周囲の環境、携帯電話機２に特有の性能、実験結果などの各種の要素（パラメータ）を総合的に評価することにより、決定されるものであっても良いし、それらの要素とは無関係に一律的に決定されるものであっても良い。
【００４０】
そして、基地局制御装置５は、携帯電話機２と当該携帯電話機２が通信基地局として捕捉している基地局３との間の距離が基準距離以上にある旨を判定すると、携帯電話機２との間の距離が基準距離未満にある基地局３を新たな通信基地局となるターゲット基地局として決定する。
【００４１】
具体的に説明すると、基地局制御装置５は、図５に示すように、携帯電話機２が当該携帯電話機２から近距離に位置する基地局３を通信基地局として捕捉しているのではなく、携帯電話機２との間の距離が基準距離以上にある例えば基地局（Ａ）を通信基地局として捕捉している場合であれば、携帯電話機２との間の距離が基準距離未満にある例えば基地局（Ｅ）をターゲット基地局として決定する。この場合、基地局制御装置５は、携帯電話機２との間の距離が基準距離未満にある基地局３が複数存在している場合であれば、それらのうちから例えばパイロット信号の受信強度が最大の基地局３をターゲット基地局として決定する。
【００４２】
次いで、基地局制御装置５は、ハンドオフ指示を通信基地局を通じて携帯電話機２に送信する（図３中、Ｓ１３，Ｓ１４）。携帯電話機２は、基地局制御装置５からハンドオフ指示が受信されると、ハンドオフ要求を通信基地局を通じて基地局制御装置５に送信する（図３中、Ｓ１５，Ｓ１６）。
【００４３】
そして、基地局制御装置５は、携帯電話機２からハンドオフ要求が受信されると、トラヒック信号送信指示をターゲット基地局に送信し（図３中、Ｓ１７）、トラヒック信号送信指示を通信基地局に送信する（図３中、Ｓ１８）。
【００４４】
これを受けて、ターゲット基地局は、基地局制御装置５からトラヒック信号送信指示が受信されると、トラヒック信号を携帯電話機２に送信し（図３中、Ｓ１９）、通信基地局は、基地局制御装置５からトラヒック信号送信指示が受信されると、トラヒック信号を携帯電話機２に送信する（図３中、Ｓ２０）。
【００４５】
携帯電話機２は、ターゲット基地局からトラヒック信号が受信されると共に、通信基地局からトラヒック信号が受信されると、それら受信されたトラヒック信号をレーク合成する（図３中、ステップＡ２）。これにより、携帯電話機２は、ターゲット基地局として決定された基地局３を新たな通信基地局として捕捉することになる。そして、携帯電話機２は、接続要求を新たな通信基地局を通じて基地局制御装置５に送信する（図３中、Ｓ２１，Ｓ２２）。
【００４６】
基地局制御装置５は、携帯電話機２から接続要求が受信されると、携帯電話機２からの接続要求に対して応答可能であるか否かを判定し、応答可能である旨を判定すると、接続応答を新たな通信基地局を通じて携帯電話機２に送信する（図３中、Ｓ２３，Ｓ２４）。
【００４７】
携帯電話機２は、このようにして基地局制御装置５から接続応答が受信されると、新たな通信基地局として捕捉している基地局３との間で通信リンクを確立する。そして、携帯電話機２は、このようにして新たな通信基地局として捕捉している基地局３との間で通信リンクを確立した後に、切断要求を元々の通信基地局として捕捉している基地局３に送信する（図３中、Ｓ２５）。
【００４８】
以上に説明した処理により、携帯電話機２は、発信する操作が行われたときに、当該携帯電話機２が存在している位置の高度が基準高度以上にあり、当該携帯電話機２からの距離が基準距離以上にある基地局３（図５では、基地局（Ａ）が相当）を通信基地局として捕捉していると、当該携帯電話機２からの距離が基準距離未満にある基地局３（図５では、基地局（Ｅ）が相当）を通信基地局として捕捉するように切替動作（ハンドオフ）を行うことになる。
【００４９】
さて、これ以降、携帯電話機２は、新たな通信基地局として捕捉されている基地局３から、次に捕捉し得る基地局３の群を表す捕捉候補リストが受信されると、受信された捕捉候補リストから携帯電話機２からの距離が基準距離以上にある基地局３を除外する。具体的に説明すると、携帯電話機２は、図６に示すように、新たな通信基地局として捕捉されている基地局（Ｅ）から、次に捕捉し得る基地局３として基地局（Ａ）、基地局（Ｂ）、基地局（Ｃ）、基地局（Ｄ）、基地局（Ｆ）、基地局（Ｇ）および基地局（Ｈ）が含まれてなる捕捉候補リストが受信されると、受信された捕捉候補リストから携帯電話機２からの距離が基準距離以上にある例えば基地局（Ａ）および基地局（Ｄ）を除外する。
【００５０】
これにより、携帯電話機２は、これ以降、基地局（Ａ）および基地局（Ｄ）が除外された捕捉候補リストに存在している基地局３、つまり、携帯電話機２からの距離が基準距離未満にある基地局３からいずれかの基地局３を通信基地局として捕捉することになる。
【００５１】
（２）携帯電話機２が着信する場合
次に、携帯電話機２が着信する場合について、図４を参照して説明する。
この場合は、基地局制御装置５は、携帯電話機２を着信先とする着信を検出すると、接続要求を通信基地局を通じて携帯電話機２に送信する（図４中、Ｓ３１，Ｓ３２）。携帯電話機２は、基地局制御装置５から接続要求が受信されると、基地局制御装置５からの接続要求に対して応答可能であるか否かを判定し、応答可能である旨を判定すると、接続応答を通信基地局を通じて基地局制御装置５に送信する（図４中、Ｓ３３，Ｓ３４）。
【００５２】
さて、ここで、基地局制御装置５は、このようにして携帯電話機２から接続応答が受信されると、この場合も、通信基地局として捕捉している基地局３との間で通信リンクを確立するのではなく、以下の処理を行う。
【００５３】
すなわち、基地局制御装置５は、携帯電話機２から接続応答が受信されると、測位要求を通信基地局を通じて携帯電話機２に送信する（図４中、Ｓ３５，Ｓ３６）。携帯電話機２は、基地局制御装置５から測位要求が受信されると、基地局制御装置５からの測位要求に対して応答可能であるか否かを判定し、応答可能である旨を判定すると、測位応答を通信基地局を通じて基地局制御装置５に送信する（図４中、Ｓ３７，Ｓ３８）。
【００５４】
そして、携帯電話機２は、このようにして測位応答を基地局制御装置５に送信すると、測位を行い（図３中、ステップＡ１）、これ以降、上記した「（１）携帯電話機２が発信する場合」の処理と同様の処理を行う。
【００５５】
すなわち、携帯電話機２は、着信したときに、当該携帯電話機２が存在している位置の高度が基準高度以上にあり、当該携帯電話機２からの距離が基準距離以上にある基地局３を通信基地局として捕捉していると、当該携帯電話機２からの距離が基準距離未満にある基地局３を通信基地局として捕捉するように切替動作（ハンドオフ）を行うことになる。
【００５６】
ところで、以上は、携帯電話機２がＧＰＳ衛星４からのＧＰＳ衛星信号および基地局３からのパイロット信号を測定して測定結果を測位データとして測位サーバ６に送信することにより、測位サーバ６がＧＰＳ衛星信号およびパイロット信号の双方の測定結果に基づいて携帯電話機２の位置を検出する場合を説明したものであるが、携帯電話機２がＧＰＳ衛星４からのＧＰＳ衛星信号のみを測定して測定結果を測位データとして測位サーバ６に送信することにより、測位サーバ６がＧＰＳ衛星信号の測定結果のみに基づいて携帯電話機２の位置を検出するように構成することも可能である。
【００５７】
また、以上は、測位サーバ６がＧＰＳ衛星４に関するアルマナック情報および基地局３に関するアルマナック情報を保持することにより、測位サーバ６が携帯電話機２の位置を検出して基準高度と判定する場合を説明したものであるが、携帯電話機２がＧＰＳ衛星４に関するアルマナック情報および基地局３に関するアルマナック情報を保持することにより、携帯電話機２が当該携帯電話機２の位置を検出して基準高度と判定するように構成することも可能である。
【００５８】
また、以上は、携帯電話機２が発信するときや着信するときに、携帯電話機２が存在している位置の高度を検出する場合を説明したものであるが、携帯電話機２が発信や着信を待受している待受状態にあるときに、携帯電話機２が存在している位置の高度を定期的に検出し、上記した処理を行うように構成することも可能である。
【００５９】
以上に説明したように本実施例によれば、携帯電話機２において、携帯電話機２が存在している位置の高度が基準高度以上にあると、携帯電話機２からの距離が基準距離未満にある基地局３を通信基地局として捕捉する旨を許可すると共に、携帯電話機２からの距離が基準距離以上にある基地局３を通信基地局として捕捉する旨を禁止するように構成したので、携帯電話機２は、例えば高層ビルの屋上などの高度が高い位置に存在しており、携帯電話機２から遠方に位置する基地局を通信基地局として捕捉可能な場合であっても、携帯電話機２から遠方に位置する基地局を通信基地局として捕捉することを未然に回避することができ、携帯電話機２から近距離に位置する基地局を通信基地局として捕捉することができる。これにより、携帯電話機２が通信基地局として捕捉されている基地局３から送信された信号を適切に受信することができると共に、通信基地局として捕捉されている基地局３が携帯電話機２から送信された信号を適切に受信することができ、通信品質が低下することを未然に回避することができる。
【００６０】
また、携帯電話機２において、携帯電話機２からの距離が基準距離以上にある基地局３を通信基地局として捕捉しているときに、携帯電話機２が存在している位置の高度が基準高度以上にあると、携帯電話機２からの距離が基準距離未満にある基地局３を通信基地局として捕捉するように通信基地局の切替動作を行うように構成したので、携帯電話機２は、携帯電話機２からの距離が基準距離以上にある基地局３を通信基地局として捕捉している状態から、携帯電話機２からの距離が基準距離未満にある基地局３を通信基地局として捕捉する状態に速やかに切替えることができ、通話品質を適切に保持することができる状態に速やかに切替えることができる。
【００６１】
また、携帯電話機２において、通信基地局として捕捉し得る基地局３の群を表す捕捉候補リストから携帯電話機２からの距離が基準距離以上にある基地局３を除外するように構成したので、携帯電話機２は、捕捉候補リストから携帯電話機２からの距離が基準距離以上にある基地局３を除外することにより、これ以降、携帯電話機２から遠方に位置する基地局３を通信基地局として捕捉することを確実に未然に回避することができ、携帯電話機２から近距離に位置する基地局３を通信基地局として確実に捕捉することができる。
【００６２】
また、携帯電話機２において、ＧＰＳ衛星４から携帯電話機２により受信されたＧＰＳ衛星信号に基づいて携帯電話機２が存在している位置の高度を検出するように構成したので、一般的にＧＰＳ衛星信号を利用した測位の精度が高いという事情から、携帯電話機２の位置を検出する際の信頼性を高めることができる。
【００６３】
さらに、測位サーバ６が携帯電話機２から受信された測位データに基づいて携帯電話機２が存在している位置の高度を検出し、基地局制御装置５が測位サーバ６から受信された検出結果に基づいて携帯電話機２が存在している位置の高度と所基準高度との関係を判定するように構成したので、携帯電話機２が当該携帯電話機２が存在している位置の高度を検出する必要がなく、また、携帯電話機２が当該携帯電話機２が存在している位置の高度と基準高度との関係を判定する必要がなく、これにより、携帯電話機２の負荷を軽減することができると共に、携帯電話機２の構成を簡単にすることができる。
【００６４】
本発明は、上記した実施例にのみ限定されるものではなく、以下のように変形または拡張することができる。
移動通信端末は、携帯電話機に限らず、通信機能を有する携帯情報端末や、自動車に搭載される車載端末などの他のものであっても良い。
基地局制御装置が測位サーバの機能を有する構成であっても良い。
【００６５】
携帯電話機が行う通信基地局の切替動作は、携帯電話機が新たな通信基地局との間で通信リンクを確立した後に、携帯電話機が切断要求を元々の通信基地局に送信する動作に限らず、携帯電話機が切断要求を元々の通信基地局に送信した後に、携帯電話機が新たな通信基地局との間で通信リンクを確立する動作であっても良い。
【００６６】
携帯電話機が実行する制御プログラムは、最初（例えば製品化の段階）から記憶されているものに限らず、例えば特定のサーバからネットワークを通じてダウンロードされたり或いはＣＤ−ＲＯＭ（Ｃｏｍｐａｃｔ　Ｄｉｓｋ−Ｒｅａｄ　Ｏｎｌｙ　Ｍｅｍｏｒｙ）やカードなどの記録媒体から転送されてインストールされるものであっても良い。
【図面の簡単な説明】
【図１】本発明の一実施例の全体構成を概略的に示す図
【図２】携帯電話機の電気的な構成を示す機能ブロック図
【図３】携帯電話機が発信する場合の処理の流れを表すシーケンス図
【図４】携帯電話機が着信する場合の処理の流れを表すシーケンス図
【図５】携帯電話機、通信基地局およびターゲット基地局の位置関係を概略的に示す図
【図６】捕捉候補リストの一例を示す図
【符号の説明】
図面中、１は携帯電話システム（移動通信システム）、２は携帯電話機（移動通信端末）、３は基地局、４はＧＰＳ衛星、５は基地局制御装置（高度判定手段）、６は測位サーバ（高度検出手段）である。
【図１】
2004040368.tif 000003
【図２】
2004040368.tif 000004
【図３】
2004040368.tif 000005
【図４】
2004040368.tif 000006
【図５】
2004040368.tif 000007
【図６】
2004040368.tif 000008